(57)【要約】【課題】発表中に、視線を移すことなしに補足資料を確認することのできるプレゼンテーション支援システム、方法、及びプログラムを提供する。【解決手段】発表資料要素及び補足資料要素を格納する格納部と、前記格納部に格納された要素に基いて、第１表示画面と第２表示画面とに表示する内容を制御する表示部と、を具備する。前記表示部は、前記発表資料要素及び前記補足資料要素を読み出し、読み出した前記発表資料要素を前記第１表示画面上に表示し、読み出した前記補足資料要素及び前記発表資料要素のいずれかを透かして透かし資料要素を生成し、前記透かし資料要素を他方の資料要素に重ねて合成資料要素を生成し、前記合成資料要素を前記第２表示画面に表示する。【選択図】図１
2008191455.tif 000002
【特許請求の範囲】
【請求項１】
発表資料要素及び補足資料要素を格納する格納部と、
第１表示画面と第２表示画面とに表示する内容を制御する表示部と、
を具備し、
前記表示部は、前記発表資料要素及び前記補足資料要素を読み出し、読み出した前記発表資料要素を前記第１表示画面上に表示し、読み出した前記補足資料要素及び前記発表資料要素の一方を透かして透かし資料要素を生成し、前記透かし資料要素を他方の資料要素に重ねて合成資料要素を生成し、前記合成資料要素を前記第２表示画面に表示する
プレゼンテーション支援システム。
【請求項２】
請求項１に記載されたプレゼンテーション支援システムであって、
前記格納部に格納された前記発表資料要素及び前記補足資料要素は、複数であり、
前記格納部には、更に、前記各発表資料要素及び前記各補足資料要素とページ番号との対応関係を示す登録情報、が格納されており
前記表示部は、前記第１表示画面及び前記第２表示画面上に表示される資料要素を、前記登録情報に基いて同期的に切替える
プレゼンテーション支援システム。
【請求項３】
請求項１又は２記載されたプレゼンテーション支援システムであって、
更に、
前記発表資料要素及び前記補足資料要素を生成して前記格納部に格納する資料作成部
を具備する
プレゼンテーション支援システム。
【請求項４】
発表資料要素及び補足資料要素を準備する準備ステップと、
前記発表資料要素及び前記補足資料要素を読み出すステップと、
読み出した前記発表資料要素及び前記補足資料要素のうちの一方を透かして、透かし資料要素を生成するステップと、
前記透かし資料要素を他方の資料要素に重ねて合成資料要素を生成するステップと、
読み出した前記発表資料要素を第１表示画面上に、前記合成資料要素を前記第２表示画面に、それぞれ表示する表示ステップと、
を具備する
プレゼンテーション支援方法。
【請求項５】
請求項４に記載されたプレゼンテーション支援方法であって、
更に、
前記第１表示画面と前記第２表示画面上に表示される要素を同期的に切替える切替えステップ
を具備し、
前記準備ステップにおいて、前記発表資料要素及び前記補足資料要素は複数準備され、
前記準備ステップにおいて、更に、前記各発表資料要素及び前記各補足資料要素とページ番号との対応関係を示す登録情報、を準備し、
前記切替えステップにおいて、表示される要素を、前記登録情報に基いて同期的に切替える
プレゼンテーション支援方法。
【請求項６】
請求項４又は５に記載されたプレゼンテーション支援方法をコンピュータにより実現する為の、プレゼンテーション支援プログラム。
【発明の詳細な説明】
【技術分野】
【０００１】
本発明は、プレゼンテーション支援システム、方法、及びプログラムに関する。
【背景技術】
【０００２】
視聴者用の表示画面上に説明用の資料を表示することで、プレゼンテーションの支援を行うプレゼンテーション支援システムが知られている。このようなプレゼンテーション支援システムの一つとして、発表者がプレゼンテーション中に画面を確認し易くする為に、視聴者用の表示画面とは別に発表者用の表示画面を用意したものが知られている。
【０００３】
視聴者用と発表者用の表示画面を別々にしたプレゼンテーション支援システムにおいても、通常は、両方の画面に同じ画像が映し出される。従って、発表中に発表画面とは別の補足資料を確認したい場合には、補足資料を紙などで別途に作成し、発表中に手元に置いておく必要があった。この場合、発表者が補足資料を確認するには、表示画面から手元の補足資料へ視線を移さなければならず、手間であった。
【０００４】
補足資料を簡単に確認できる様にする為に、例えば特許文献１には、発表者用の表示画面とは別に更にサブの画面を設け、このサブ画面に説明用原稿（補足資料）を映し出すことが記載されている。
【０００５】
また、特許文献２には、視聴者側のメイン表示装置と説明者側のサブ表示装置とに別々の内容を表示させることが記載されている。このサブ表示装置の画面には、メイン表示装置に表示させるプレゼンテーション用データに関するコメント又は説明者の作成した原稿などを表示したり、画面上の任意の領域に、メイン表示装置の表示画面を縮小した縮小画面を表示することが記載されている。
【０００６】
尚、特許文献３には、設計図面の編集方法に関して、図面を汚すことなく、コメントの記述と図面との対応付けを分かり易くする編集方法が記載されている。この特許文献３には、一つの画面に複数枚のプレーンを重ね表示できる様にし、その内のひとつには正式図面と正式コメントとを記述し、他のプレーンは透明なプレーンとして個人コメントを記述し、図面が描かれているプレーンに透明なプレーンを重ねることが記載されている。
【０００７】
【特許文献１】特開２００４−１９８８３５号  公報
【特許文献２】特開２００５−４９４７５号  公報
【特許文献３】特開平８−３２９１３６号  公報
【発明の開示】
【発明が解決しようとする課題】
【０００８】
しかしながら、記述の特許文献１、２の手法では、依然として、発明者が補足資料を確認したい場合、発表者用の表示画面とは別の画面に視線を移さねばならず、手間であった。また、特許文献３に記載された技術は、設計図面を汚さない様にする為の技術であり、プレゼンテーションに関する技術ではない。
【０００９】
従って、本発明の目的は、発表中に、視線を移すことなしに補足資料を確認することのできるプレゼンテーション支援システム、方法、及びプログラムを提供することにある。
【課題を解決するための手段】
【００１０】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１１】
本発明にかかるプレゼンテーション支援システム（１００）は、発表資料要素及び補足資料要素を格納する格納部（２０）と、格納部（２０）に格納された要素に基いて、第１表示画面（４０）と第２表示画面（５０）とに表示する内容を制御する表示部（３０）と、を具備する。表示部（３０）は、発表資料要素及び補足資料要素を読み出し、読み出した発表資料要素を第１表示画面上に表示し、読み出した補足資料要素及び発表資料要素の一方を透かして透かし資料要素を生成し、透かし資料要素を他方の資料要素に重ねて合成資料要素を生成し、合成資料要素を第２表示画面（５０）に表示する。
【００１２】
このような構成に依れば、一方の表示画面（第１表示画面４０）上には、発表資料要素がそのまま表示され、他方の表示画面（第２表示画面５０）上には、発表資料要素と補足資料要素とが重なった合成資料要素が表示される。合成資料要素では、一方の資料要素が透かされて他方の資料要素に重ねられているので、発表資料要素と補足資料要素の双方を見ることができる。従って、発表者は、発表中において、第２画面表示（５０）から視線を移すことなく、第１表示画面（４０）上に表示された内容と補足資料要素とを同時に見ることができる。
【００１３】
上記のプレゼンテーション支援システム（１００）において、格納部（２０）に格納された発表資料要素及び補足資料要素は、複数であり、格納部（２０）には、更に、各発表資料要素及び各補足資料要素とページ番号との対応関係を示す登録情報（２３）、が格納されており、表示部（３０）は、第１表示画面（４０）及び第２表示画面（５０）上に表示される資料要素を、登録情報（２３）に基いて同期的に切替えることが好ましい。
【００１４】
このような構成に依れば、第１表示画面（４０）と第２表示画面（５０）とに表示される資料要素が動機的に切替えられるので、発表者が第１表示画面（４０）上に表示される要素を切替えるのに加えて、補足資料要素までを切替えなくてよい。
【００１５】
上記のプレゼンテーション支援システム（１００）は、更に、発表資料要素及び補足資料要素を生成して格納部（２０）に格納する資料作成部（１１）を具備することが好ましい。
【００１６】
本発明にかかるプレゼンテーション支援方法は、発表資料要素及び補足資料要素を準備する準備ステップ（ステップＳ１０〜７０）と、発表資料要素及び補足資料要素を読み出すステップ（ステップＳ２、３）と、読み出した発表資料要素及び補足資料要素のうちの一方を透かして、透かし資料要素を生成するステップ（ステップＳ４）と、透かし資料要素を他方の資料要素に重ねて合成資料要素を生成するステップ（ステップＳ５）と、読み出した発表資料要素を第１表示画面（４０）上に表示し、合成資料要素を第２表示画面（５０）に表示する表示ステップ（ステップＳ６）と、を具備する。
【００１７】
上記のプレゼンテーション支援方法は、更に、第１表示画面（４０）と第２表示画面（５０）上に表示される要素を同期的に切替える切替えステップ、を具備し、準備ステップ（ステップＳ１０〜７０）において、発表資料要素及び補足資料要素は複数準備するとともに、各発表資料要素及び各補足資料要素とページ番号との対応関係を示す登録情報（２３）、を準備し、その切替えステップにおいて、表示される要素を、ページ番号に基いて同期的に切替えることが好ましい。
【００１８】
本発明にかかるプレゼンテーション支援プログラムは、上記のプレゼンテーション支援方法をコンピュータにより実現する為の、コンピュータプログラムである。
【発明の効果】
【００１９】
本発明に依れば、発表中に視線を移すことなしに補足資料を確認することのできるプレゼンテーション支援システム、方法、及びプログラムが提供される。
【発明を実施するための最良の形態】
【００２０】
本発明の実施形態について、図面を参照しつつ説明する。図１は、本実施形態に係るプレゼンテーション支援システム１００の構成を示すブロック図である。このプレゼンテーション支援システム１００は、プレゼンテーション用の資料を作成するための資料作成部１０と、作成した資料等を格納しておく為の格納部２０と、プレゼンテーション用の資料を表示画面上に表示させる表示部３０と、入力部６０と、を備えている。資料作成部１０及び表示部３０は、ＣＰＵや、ＲＯＭ（ｒｅａｄ  ｏｎｌｙ  ｍｅｍｏｒｙ）等に格納されたプログラム（プレゼンテーション支援プログラム）、によってその機能を実現するものである。このプレゼンテーション支援システム１００は、プレゼンテーションが実行される際に、視聴者用ディスプレイ（第１表示画面）４０及び発表者用ディスプレイ（第２表示画面）５０に接続されて使用される。
【００２１】
入力部６０は、ユーザによる要求をプレゼンテーション支援システム１００内に入力する為のものであり、マウスやキーボードなどに例示される。尚、図１に示される例では、資料作成部１０と表示部３０とに対して、共通の入力部６０が設けられているが、資料作成部１０と表示部３０とのそれぞれに対して、別々の入力部が設けられていてもよい。
【００２２】
資料作成部１０は、予めプレゼンテーション用資料を作成しておくためのプログラムである。資料作成部１０は、入力部６０を介してユーザにより入力された情報に基いて、複数の発表資料要素を含む発表資料２１、及び複数の補足資料要素を含む補足資料２２を作成し、格納部２０に格納する。発表資料２１及び補足資料２２の各々は、要素（発表資料要素、補足資料要素）毎に作成される。
【００２３】
また、資料作成部１０は、ユーザから入力された情報に基いて、登録情報２３を生成し、格納部２０に格納する。図２は、登録情報２３の内容を示す概念図である。図２に示されるように、登録情報２３は、各資料要素（発表資料要素及び補足資料要素）にページ番号を対応付けた情報である。尚、補足資料要素は、必ずしも全ての発表資料要素に対応して作成されている必要は無い。補足資料の必要の無いページでは、登録情報２３において、「無し」が対応付けられる。
【００２４】
格納部２０は、発表資料２１及び補足資料２２、及び登録情報２３を格納しておくためのものであり、ハードディスク、ＣＤ−Ｒ等の記憶媒体に例示される。
【００２５】
表示部３０は、視聴者用ディスプレイ４０及び発表者用ディスプレイ５０に表示する内容を、格納部２０に格納されたデータに基いて制御する機能を実現する。表示部３０は、視聴者用資料読出し部３２と、発表者用資料読出し部３３と、透かし部３４と、シート合成部３５と、これらの動作を制御する表示制御部３１とを有している。
【００２６】
視聴者用資料読出し部３２は、格納部２０に格納された発表資料要素をＲＯＭなどに読み出して、視聴者用ディスプレイ４０上に表示させる機能を実現する。発表者用資料読出し部３３は、発表資料要素及び補足資料要素をＲＯＭなどに読み出す機能を実現する。透かし部３４は、読み出された補足資料要素を半透明化させて（透かして）、透かし資料要素を生成する機能を実現する。シート合成部３５は、読み出した発表資料要素と生成された透かし資料要素とを重ねて合成資料要素を生成し、発表者用ディスプレイ５０に表示する機能を実現する。表示制御部３１は、これらの全体の動作を制御するものであり、例えば、ユーザから入力部６０を介して指示が与えられると、資料要素単位で、視聴者用ディスプレイ４０及び発表者用ディスプレイ５０に表示する内容を切替える様に動作する。
【００２７】
続いて、本実施形態に係るプレゼンテーション支援方法について説明する。まず、発表資料及び補足資料の作成方法について説明する。図３は、発表資料及び補足資料の作成方法を示すフローチャートである。発表資料及び補足資料の作成は、資料作成部１０により行われ、以下の説明でも特に断りのない限り、動作の主体は資料作成部１０であるものとする。
【００２８】
図３に示されるように、ユーザが入力部６０を介して資料作成を開始する旨を入力する。（ステップＳ１０）。この時、発表資料要素を作成するのか、補足資料要素２２を作成するのかが指定される。この指定は、例えば、ユーザが入力部６０を介して入力した情報に基いて行われる（ステップＳ２０）。
【００２９】
Ｓ２０において、発表資料要素が指定された場合、ユーザからの入力に従って、発表資料用のシート上にオブジェクトやアニメーションなどが配置されたものが生成される（ステップＳ３０）。オブジェクトやアニメーションなどの配置された発表用のシートは、発表資料要素として格納部２０に格納される（ステップＳ４０）。Ｓ２０において補足資料要素が指定された場合も、Ｓ３０〜４０と同様に、補足資料用のシート上にオブジェクトやアニメーションなどが配置され（ステップＳ５０）、補足資料要素として格納部２０に格納される（ステップＳ６０）。
【００３０】
また、上述のＳ３０〜６０の処理に際して、各要素に対するページ番号の指定も行われ、各要素とページ番号との対応関係を示す登録情報２３が生成される。生成した登録情報２３も格納部２０に格納される。
【００３１】
Ｓ２０〜Ｓ６０までの処理を、発表資料や補足資料として必要な枚数（要素）分繰り返えされる。これにより、少なくとも一の発表資料要素からなる発表資料と、少なくとも一の補足資料要素からなる補足資料とが格納部２０に保存され、資料作成に係る処理が終了する（ステップＳ７０）。
【００３２】
続いて、発表者がプレゼンテーションを行う時の動作について説明する。図４は、プレゼンテーションを行う時の動作を示すフローチャートである。以下に説明する動作は、特に断りの無い限り、表示制御部３１を動作の主体として行われるものとする。
【００３３】
プレゼンテーションを行う際、ユーザ（発表者）はまず、入力部６０を介して、所望するページを指定し、ディスプレイ上に表示する旨を入力する（ステップＳ１）。ユーザからの入力に応じて、視聴者用資料読出し部３２が、格納部２０の登録情報２３を参照し、指定されたページに対応する発表資料要素をメモリ等に読み出す（ステップＳ２）。また、発表者用資料読出し部３３によって、指定されたページに対応する補足資料要素が、メモリ等に読み出される（ステップＳ３）。
【００３４】
続いて、透かし部３４が、読み出された補足資料要素を半透明化させ、透かし補足資料要素を生成する（ステップＳ４）。
【００３５】
次に、シート合成部３５が、Ｓ４で生成された透かし補足資料要素と、Ｓ２で読み出された発表資料要素とを重ねて、合成資料要素を生成する（ステップＳ５）。
【００３６】
次に、表示制御部３１が、視聴者用ディスプレイ４０上に、Ｓ２で読み出した発表資料要素を表示する。同時に、発表者用ディスプレイ５０上に、Ｓ５で生成した合成資料要素を表示する（ステップＳ６）。尚、登録情報２３において、指定されたページに対応する補足資料要素が「無し」であった場合には、補足資料要素に関するステップＳ３〜６の処理は行わなず、発表者用ディスプレイ５０上に発表資料要素のみを表示する。
【００３７】
以上説明したＳ１〜６の動作により、一枚の要素をディスプレイ上に表示する際の処理が終了する。次の要素又は別の要素をディスプレイ上表示させたい場合は、再びＳ１〜Ｓ６の動作を繰り返す。この時、Ｓ６において、視聴者用ディスプレイ４０に表示される要素と、発表者用ディスプレイ５０上に表示される要素とは、同時に（同期して）切替えられることになる。
【００３８】
本実施形態に依れば、例えば図５に示されるように、発表者用ディスプレイ５０上に、視聴者用ディスプレイ４０に表示される内容に加えて、補足資料要素が透かされて表示される。よって、ユーザ（発表者）が補足資料を確認する為に視線を別の場所に移す必要が無く、ユーザの手間が低減される。
【００３９】
また、ページを切替える際、発表者用ディスプレイ５０と視聴者用ディスプレイ４０上に表示される要素は、同期して切替えられる。従って、ユーザが発表者用ディスプレイ５０と視聴者用ディスプレイ４０上に表示される要素を別々に切替える必要がなく、更に手間が低減でき、より自然な流れで２毎の要素（発表資料要素と補足資料要素）を同時に確認できる。
【００４０】
尚、本実施形態においては、補足資料要素に対して透かし処理を行う場合について説明したが、発表資料要素側に対して透かし処理を行うようにしても、上述したのと同じ作用を奏することができる。
【００４１】
また、ページを切替える度に、補足資料要素を読み出して透かし処理（Ｓ４）、合成処理（Ｓ５）を行う場合について説明したが、予め、補足資料中の全ての補足資料要素に対して透かし処理、合成処理を行っておき、発表者用ディスプレイ５０上に表示させる際に合成処理の為された要素を読み出して表示するようにしてもよい。
【図面の簡単な説明】
【００４２】
【図１】プレゼンテーション支援装置の構成を示すブロック図である。
【図２】登録情報を示す概念図である。
【図３】資料作成の手順を表すフローチャートである。
【図４】表示動作を表すフローチャートである。
【図５】発表者用ディスプレイに表示される例を示す説明図である。
【符号の説明】
【００４３】
１０    資料作成部
２０    格納部
２１    発表資料
２２    補足資料
２３    登録情報
３０    表示部
３１    表示制御部
３２    視聴者用資料読出し部
３３    発表者用資料読出し部
３４    透かし部
３５    シート合成部
４０    視聴者用ディスプレイ
５０    発表者用ディスプレイ
６０    入力部
１００  プレゼンテーション支援装置
【図１】
2008191455.tif 000003
【図２】
2008191455.tif 000004
【図３】
2008191455.tif 000005
【図４】
2008191455.tif 000006
【図５】
2008191455.tif 000007